(57)【要約】【課題】暗号化されたデジタル信号の著作権の保護を確実に行えるようにする。【解決手段】Ｉ／Ｆ７２により、暗号化されたデジタル信号と当該デジタル信号を復号する際に用いる鍵情報とを受信する。Ｉ／Ｆ７２により受信された暗号化されているデジタル信号は、デ・スクランブル部７３において、Ｉ／Ｆ７２により受信された鍵情報により復号（暗号解読）された後に、暗号化部７６により暗号化され、Ｉ／Ｆ７８を通じて出力するようにされるが、Ｉ／Ｆ７２により鍵情報が受信されておらず、復号できなかったデジタル信号については、これを出力しないようにコントロール部８３によって制御する。【選択図】図８
2008034096.tif 000002
【特許請求の範囲】
【請求項１】
暗号化されたデジタル信号と暗号化された上記デジタル信号を復号する際に使用される鍵情報とを受信する受信手段と、
上記鍵情報を用いて、暗号化された上記デジタル信号を復号する復号手段と、
復号された上記デジタル信号を暗号化する暗号化手段と、
暗号化された上記デジタル信号を機器外部に出力する出力手段と、
上記鍵情報を受信しなかった場合、上記出力手段を通じて機器外部にデジタル信号を出力しないように制御する制御手段と
を有することを特徴とするデジタル信号受信装置。
【請求項２】
請求項１に記載のデジタル信号受信装置であって、
上記受信手段は、更に、付加情報を受信し、
上記制御手段は、上記付加情報に基づいて、機器外部へのデジタル信号の出力制御を行うことを特徴とするデジタル信号受信装置。
【請求項３】
請求項２に記載のデジタル信号受信装置であって、
上記制御手段は、上記付加情報が複製の禁止あるいは複製の制限を示しているものであるか否かを判別し、その判別結果に基づいて機器外部へのデジタル信号の出力制御を行うことを特徴とするデジタル信号受信装置。
【請求項４】
請求項１に記載のデジタル信号受信装置であって、
さらに、上記復号手段にて復号された上記デジタル信号のフォーマット変換を行い、フォーマット変換後のデジタル信号を上記暗号化手段に送信する信号変換手段を有することを特徴とするデジタル信号受信装置。
【請求項５】
請求項1に記載のデジタル信号受信装置であって、
前記受信手段は、前記デジタル信号としてデジタル映像信号を受信するものであることを特徴とするデジタル信号受信装置。
【請求項６】
暗号化されたデジタル信号と暗号化された上記デジタル信号を復号する際に使用される鍵情報とを受信する受信工程と、
上記鍵情報を用いて、暗号化された上記デジタル信号を復号する復号手段と、
復号した上記デジタル信号を暗号化する暗号化工程と、
上記鍵情報を受信した場合には、暗号化した上記デジタル信号を機器外部に出力するが、上記鍵情報を受信しなかった場合には、機器外部にデジタル信号を出力しないように制御する出力制御手段と
を有することを特徴とするデジタル信号受信方法。
【請求項７】
請求項６に記載のデジタル信号受信方法であって、
上記受信工程においては、更に、付加情報を受信し、
上記出力制御工程においては、上記付加情報に基づいて、機器外部へのデジタル信号の出力制御を行うことを特徴とするデジタル信号受信方法。
【請求項８】
請求項７に記載のデジタル信号受信方法であって、
上記出力制御工程においては、上記付加情報が複製の禁止あるいは複製の制限を示しているものであるか否かを判別し、その判別結果に基づいて機器外部へのデジタル信号の出力制御を行うことを特徴とするデジタル信号受信方法。
【請求項９】
請求項６に記載のデジタル信号受信方法であって、
さらに、上記復号工程において復号したデジタル信号のフォーマット変換を行う信号変換工程を備え、
前記暗号化工程においては、上記信号変換工程においてフォーマット変換された上記デジタル信号を暗号化することを特徴とするデジタル信号受信装置。
【請求項１０】
請求項６に記載のデジタル信号受信方法であって、
前記受信工程において受信する前記デジタル信号は、デジタル映像信号であることを特徴とするデジタル信号受信方法。
【発明の詳細な説明】
【技術分野】
【０００１】
この発明は、暗号化されたデジタル信号の供給を受けて処理する装置および方法に関する。
【背景技術】
【０００２】
ビデオテープやＤＶＤ（デジタルビデオディスク）などの各種の記録媒体やインターネットや放送メディアを通じて、様々なソフトウエアが提供されるようになってきている。しかし、一方で、このように豊富に提供されるようになったソフトウエアが無制限に複製されてしまうおそれがあるという問題があり、従来から種々の複製防止対策が施されている。
【０００３】
例えば、アナログ映像信号については、アナログ映像信号の複製を直接的に禁止する方法ではないが、記録装置としての例えばＶＴＲと、映像を提供するモニタ受像機のＡＧＣ（オート・ゲイン・コントロール）の方式の相違、あるいはＡＰＣ（オート・フェイズ・コントロール）の特性の相違を利用して、実質的に複製を防止する方法がある。
【０００４】
例えば、ＶＴＲは、映像信号に挿入された擬似同期信号によりＡＧＣを行い、モニタ受像機は、この擬似同期信号によらないＡＧＣ方式を採用するというように、ＡＧＣの方式の相違を利用する方法が前者の例で、オリジナルの記録媒体にアナログ映像信号を記録するときに、ＡＧＣのための同期信号としてレベルが極端に大きな擬似同期信号を挿入しておき、再生用ＶＴＲから記録用ＶＴＲに供給する映像信号に、ＡＧＣのための同期信号として、このレベルが極端に大きな擬似同期信号を挿入するものである。
【０００５】
また、ＶＴＲでのＡＰＣは、映像信号中のカラーバースト信号に短い時定数で追従するが、モニタ受像機のＡＰＣは、比較的長い時定数で追従するというように、ＡＰＣの特性の相違を利用する方法が後者の例で、オリジナルの記録媒体にアナログ映像信号を記録するときに、映像信号のカラーバースト信号の位相を部分的に反転させておき、再生用ＶＴＲから記録用ＶＴＲに供給する映像信号としてカラーバースト信号の位相が部分的に反転したものを出力するものである。
【０００６】
以上のようにした場合、再生用ＶＴＲからのアナログ映像信号の供給を受けるモニタ受像機においては、擬似同期信号やＡＰＣのために用いられるカラーバースト信号の部分的な位相の反転の影響を受けることなく、正常に映像が再生される。
【０００７】
しかし、再生用ＶＴＲからの上述のように擬似同期信号が挿入された、または、カラーバースト信号の位相反転制御を受けたアナログ映像信号の供給を受けて、これを記録媒体に記録するＶＴＲにおいては、入力信号に基づく利得制御、あるいは位相制御を正常に行うことができず、映像信号を正常に記録することができないようになる。したがって、記録された映像信号を再生しても、視聴可能な正常な映像が再生されることがないようにできる。
【０００８】
このようにアナログ映像信号を扱う場合には、複製を禁止するのではなく、正常に視聴可能な再生映像が得られないようにするものであり、これはいわば消極的な複製防止制御である。
【０００９】
これに対して、デジタル化された情報、例えばデジタル映像信号などを扱う場合には、複製禁止または複製許可を示す複製制御情報を、デジタルデータとして映像信号に付加して、記録媒体に記録したり、伝送するようにしておき、映像信号に付加された複製制御情報により、複製を禁止するなどの直接的な複製防止制御を行うようにしている。
【００１０】
例えば、複製制御情報が付加されて記録媒体に記録されているデジタル主情報を、他の記録媒体に複製しようとする場合には、デジタル再生装置において、記録媒体から情報を読み出して、デジタル主情報と共に複製制御情報を得て、これをデジタル伝送路を通じてデジタル記録装置に送る。
【００１１】
そして、デジタル記録装置においては、デジタル伝送路を通じて受信した情報から複製制御信号を検出し、その制御内容を判別する。そして、この判別結果にもとづいて、デジタル主情報の記録制御を行うようにする。
【００１２】
したがって、判別した複製制御の内容が、デジタル伝送路を通じて入力されたデジタル主情報の記録を許可するものであるときには、前記入力デジタル主情報を記録に適したデジタル情報に変換し、他の記録媒体に書き込んで記録を実行する。一方、判別した複製制御の内容が、複製禁止であるときには、前記入力デジタル主情報の記録処理を行わないようにする。
【００１３】
また、主情報がアナログ信号、デジタル信号を問わず、複製禁止、複製許可の他、１回は複製を認めるが、１回複製されたものからの複製を禁止するようにする世代制限の複製制御方式が考えられている。この複製世代の管理が行える複製制御情報の方式としては、ＣＧＭＳ（Ｃｏｐｙ  Ｇｅｎｅｒａｔｉｏｎ  Ｍａｎａｇｅｍｅｎｔ  Ｓｙｓｔｅｍ）方式や、電子透かし処理を用いる方法が提案されている。
【００１４】
電子透かし処理は、映像信号や音声信号に存在する人間の知覚上の重要でない部分、すなわち、音楽や映像に対して冗長でない部分に、雑音として情報を埋め込む処理である。このような電子透かし処理により映像信号や音声信号中に埋め込まれた付加情報は、その映像信号や音声信号から除去されにくい。一方、映像信号や音声信号についてフィルタリング処理やデジタル情報の場合にはデータ圧縮処理をした後であっても、それらに埋め込まれた付加情報を映像信号や音声信号中から検出することが可能である。
【００１５】
この電子透かし処理を用いる複製制御方式の場合、埋め込む付加情報により、  
（１）「複製可能（Ｃｏｐｙ  Ｆｒｅｅ）」  
（２）「１回複製可能（１世代だけ複製可能）（Ｏｎｅ  Ｃｏｐｙ）」  
（３）「これ以上の複製禁止（Ｎｏ  Ｍｏｒｅ  Ｃｏｐｙ）」  
（４）「絶対複製禁止（Ｎｅｖｅｒ  Ｃｏｐｙ）」  
の４状態を、当該電子透かし情報が重畳された映像信号や音声信号の複製世代や複製制限状態を表すようにしている。
【００１６】
（１）「複製可能（Ｃｏｐｙ  Ｆｒｅｅ）」は、音声信号や映像信号の自由な複製が可能であることを表す。（２）「１回複製可能（１世代だけ複製可能）（Ｏｎｅ  Ｃｏｐｙ）」は、１回だけ音声信号や映像信号の複製が可能であることを示す。（３）「これ以上の複製禁止（Ｎｏ  Ｍｏｒｅ  Ｃｏｐｙ）」は、（２）の１回複製可能の状態の音声信号や映像信号から、当該音声信号や映像信号が複製されたものであって、これ以上の複製は禁止であることを示す。（４）「絶対複製禁止（Ｎｅｖｅｒ  Ｃｏｐｙ）」は、複製は全く禁止であることを示す。
【００１７】
映像信号や音声信号に重畳された電子透かし情報が、「１回複製可能（Ｏｎｅ  Ｃｏｐｙ）」であった場合には、電子透かし処理に対応（すなわち、複製制限処理対応）の記録装置では、その映像信号や音声信号の複製記録が可能であると判断して記録を実行するが、記録された映像信号や音声信号には、「これ以上の複製禁止（Ｎｏ  Ｍｏｒｅ  Ｃｏｐｙ）」に書き換えられた電子透かし情報が重畳される。そして、記録しようとする映像信号や音声信号に重畳された電子透かし情報が、「これ以上の複製禁止（Ｎｏ  Ｍｏｒｅ  Ｃｏｐｙ）」の場合には、電子透かし処理対応の記録装置では、その映像信号や音声信号の複製記録は禁止であるとして記録の実行が禁止される。
【００１８】
ＣＧＭＳ方式は、例えばアナログ映像信号であれば、その垂直ブランキング期間内の特定の１水平区間に複製制御用の２ビットの付加情報を重畳し、また、デジタル映像信号であれば、デジタル画像データに、複製制御用の２ビットの付加情報を付加して伝送する方式である。
【００１９】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。ＣＧＭＳ方式では、前述の「これ以上の複製禁止」の状態はない。
【００２０】
映像信号に付加されたＣＧＭＳ情報が［１０］であった場合に、ＣＧＭＳ対応の記録装置では、その映像信号の複製記録が可能であると判断して記録を実行するが、記録された映像信号には［１１］に書き換えられたＣＧＭＳ情報が付加される。そして、記録しようとする映像信号に付加されたＣＧＭＳ情報が［１１］の場合には、ＣＧＭＳ対応の記録装置では、その映像信号の複製記録は禁止であるとして記録の実行が禁止される。
【００２１】
このように、映像信号や音声信号などのコンテンツ情報の著作権を保護するために、種々の複製防止策が考えられており、これらのうちの１あるいは複数を用いて、コンテンツ情報の著作権の保護を図ることができるようにされている。
【発明の開示】
【発明が解決しようとする課題】
【００２２】
ところが、前述したような複製防止策が施された主情報であっても、これが信号変換されることにより、著作権保護のために主情報信号に付加されている情報が欠落したり劣化するなどして、複製が禁止されている主情報の複製が可能になってしまうなど、主情報の著作権を適切に保護することができなくなることがある。
【００２３】
例えば、垂直帰線消去期間にＣＧＭＳ情報などが付加されて記録媒体に記録されているアナログ映像信号を読み出し、これをデジタル映像信号に変換して出力するようにすると、垂直帰線消去期間に付加されているＣＧＭＳ情報などの付加情報は消滅してしまう。したがって、この場合には、元のアナログ映像信号に複製を禁止するためのＣＧＭＳ情報が付加されていても、信号変換後のデジタル映像信号は、その複製が可能となってしまう。
【００２４】
この他、高品位テレビジョン信号（以下、ＨＤＴＶと略称する。）と標準テレビジョン信号（以下、ＳＤＴＶと略称する。）との間の相互の信号変換、映像信号の走査線数の変換、順次走査と飛び越し走査との間の相互の信号変換などを行うと、変換前の映像信号に付加されている付加情報が、変換後の映像信号においては劣化したり、付加情報の状態が変化しまう場合があると考えられる。
【００２５】
このような場合にも、変換後の映像信号に付加されている付加情報が正確に検出できなくなるなどして、変換前の信号が複製禁止であるにもかかわらず、変換後の信号は、複製が可能となってしまうことがあると考えられる。
【００２６】
このように、信号変換を行う装置が、複製が禁止された信号を記録可能にするためのいわゆる迂回装置になってしまい、複製が禁止されたり制限されているコンテンツ情報の著作権を適正に保護することができなくなってしまう事がある。
【００２７】
このため、信号変換を行う装置において、信号変換後の信号に新たに著作権を保護するために用いる付加情報を付加するための装置を搭載するなどの必要が生じる。しかし、これは、信号変換を行う装置のコストを高くしてしまう。また、変換後の信号が、アナログ音声信号やＨＤＴＶである場合、これらの信号に対する著作権保護技術はまだ完全に確立されていないので、アナログ音声信号やＨＤＴＶについては、その著作権の保護を確実に行うことができない。
【００２８】
以上のことにかんがみ、この発明は、暗号化されたデジタル信号の著作権の保護を確実に行えるようにすることを目的とする。
【課題を解決するための手段】
【００２９】
上記課題を解決するため、請求項１に記載の発明のデジタル信号受信装置は、
暗号化されたデジタル信号と暗号化された上記デジタル信号を復号する際に使用される鍵情報とを受信する受信手段と、
上記鍵情報を用いて、暗号化された上記デジタル信号を復号する復号手段と、
復号された上記デジタル信号を暗号化する暗号化手段と、
暗号化された上記デジタル信号を機器外部に出力する出力手段と、
上記鍵情報を受信しなかった場合、上記出力手段を通じて機器外部にデジタル信号を出力しないように制御する制御手段と
を有することを特徴とする。
【００３０】
この請求項１に記載の発明のデジタル信号受信装置によれば、受信手段により、暗号化されたデジタル信号と当該デジタル信号を復号する際に用いる鍵情報とが受信するようにされる。そして、受信手段により受信された暗号化されているデジタル信号は、受信手段により受信された鍵情報が用いられて、復号手段により復号（暗号解読）された後に、暗号化手段により暗号化されて、出力手段を通じて出力するようにされるが、受信手段により鍵情報が受信されておらず、復号できなかったデジタル信号については、これを出力しないように制御手段によって制御される。
【００３１】
これにより、暗号化されたデジタル信号について、提供された鍵情報を用いて復号できたデジタル信号だけを再度暗号化して出力することができるので、暗号化されたデジタル信号の著作権保護を確実に行うようにすることができる。
【００３２】
また、請求項２に記載の発明のデジタル信号受信装置は、請求項１に記載のデジタル信号受信装置であって、
上記受信手段は、更に、付加情報を受信し、
上記制御手段は、上記付加情報に基づいて、機器外部へのデジタル信号の出力制御を行うことを特徴とする。
【００３３】
この請求項２に記載の発明のデジタル信号受信装置によれば、受信手段は、受信するデジタル信号に付加するようにされている付加情報をも受信することができるものであり、制御手段は、受信手段で受信された当該付加情報をも考慮して、デジタル信号の出力を制御することができるようにされる。
【００３４】
これにより、デジタル信号に付加さえている複製制御情報などの付加情報をも考慮して、適切に出力制御を行い、デジタル信号の不正な利用を防止することができるようにされる。
【００３５】
また、請求項３に記載の発明のデジタル信号受信装置は、請求項２に記載のデジタル信号受信装置であって、
上記制御手段は、上記付加情報が複製の禁止あるいは複製の制限を示しているものであるか否かを判別し、その判別結果に基づいて機器外部へのデジタル信号の出力制御を行うことを特徴とする。
【００３６】
この請求項３に記載の発明のデジタル信号受信装置によれば、受信したデジタル信号に付加されている付加情報が、例えば、複製を禁止している場合には当該デジタル信号の出力をしないようにすることができるなど、付加情報に応じた出力制御を行うことができるようにされる。
【００３７】
これにより、受信したデジタル信号の著作権保護を付加情報をも考慮して確実に行うようにすることができるようにされる。
【００３８】
また、請求項４に記載の発明のデジタル信号受信装置は、請求項１に記載のデジタル信号受信装置であって、
さらに、上記復号手段にて復号された上記デジタル信号のフォーマット変換を行い、フォーマット変換後のデジタル信号を上記暗号化手段に送信する信号変換手段を有することを特徴とする。
【００３９】
この請求項４に記載の発明のデジタル信号受信装置は、復号手段によって復号されたデジタル信号を、フォーマット変換する信号変換手段を備えており、フォーマット変換されたデジタル信号を暗号化して出力することができるようにされる。そして、この場合にも、暗号解読のための鍵情報を受信しなかった場合には、フォーマット変換されたデジタル信号が機器外部に出力しないようにされる。
【００４０】
これにより、受信したデジタル信号をフォーマット変換して出力するようにする場合であっても、当該デジタル信号の著作権の保護を確実に行うようにすることができるようにされる。
【００４１】
また、請求項５に記載の発明のデジタル信号受信装置は、請求項１に記載のデジタル信号受信装置であって、
前記受信工程において受信する前記デジタル信号は、デジタル映像信号であることを特徴とする。
【００４２】
この請求項５に記載の発明のデジタル信号受信装置においては、暗号化されたデジタル映像信号が受信手段により受信されて処理される。これにより、デジタル映像信号についての著作権を確実に保護することができるようにされる。
【発明の効果】
【００４３】
この出願の第１の発明によれば、暗号化されて供給されるデジタル信号の著作権保護を確実に行うようにすることができる。
【００４４】
また、この出願の第２の発明によれば、暗号化されて供給されるデジタル信号に付加するようにされている付加情報をも考慮して、当該デジタル信号の著作権の保護を確実に行うようにすることができる。
【００４５】
また、この出願の第３の発明によれば、暗号化されて供給されるデジタル信号をフォーマット変換して出力する場合であっても、当該デジタル信号の著作権の保護を確実に行うようにすることができる。
【発明を実施するための最良の形態】
【００４６】
以下、この発明による信号変換装置、および、信号変換方法の一実施の形態について、図を参照しながら説明する。
【００４７】
以下に説明するこの実施の形態の信号変換装置は、映像信号や音声信号などの情報信号を、例えば、その信号フォーマットを変換するなどの信号変換を行って出力する場合に、信号変換前の情報信号に付加されている付加情報に基づいて、信号変換後の情報信号の利用を制限するものである。
【００４８】
つまり、以下に説明する実施の形態の信号変換装置は、信号変換することによって信号変換前の情報信号に付加情報として付加されていた例えば複製制御情報が欠落しても、信号変換前の情報信号に付加されている付加情報に基づいて、信号変換後の情報信号の出力を制限したり、あるいは、正常な利用ができないようにして出力するなどして、情報信号の著作権を確実に保護するようにしたものである。
【００４９】
したがって、この発明による信号変換装置によって信号変換される情報信号には、その情報信号が映像信号の場合、例えば、ＣＧＭＳ方式の付加情報（以下、ＣＧＭＳ情報という。）や、ＡＧＣの方式の相違を利用して、複製された映像信号の正常な利用を不能にするためのＡＧＣパルス信号（マクロビジョン方式の複製防止用の擬似同期信号）や、電子透かし技術が用いられて形成された電子透かし情報などが付加されているものとして説明する。
【００５０】
また、情報信号が音声信号の場合には、ＳＣＭＳ（Ｓｅｒｉａｌ  Ｃｏｐｙ  Ｍａｎａｇｅｍｅｎｔ  Ｓｙｓｔｅｍ）方式の付加情報（以下、ＳＣＭＳ情報という。）や電子透かし情報などが付加されているものとして説明する。
【００５１】
なお、以下に説明する実施の形態において、電子透かし情報は、スペクトラム拡散技術が用いられて形成されたスペクトラム拡散信号である。このスペクトラム拡散信号は、ＰＮ（Ｐｓｅｕｄｏｒａｎｄｏｍ  Ｎｏｉｓｅ；擬似雑音符号）系列の符号（以下、ＰＮ符号という。）が用いられて形成されたものである。
【００５２】
［第１の実施の形態］
まず、この発明による装置、方法の説明を簡単にするための信号変換装置の第１の実施の形態について説明する。この第１の実施の形態においては、当該信号変換装置が、モニタ受像機に適用された場合を例にして説明する。
【００５３】
この第１の実施の形態のモニタ受像機は、輝度信号Ｙ、色差信号Ｒ−Ｙ、Ｂ−Ｙの供給を受けて、これらの信号により形成される映像をＣＲＴ（陰極線管）に表示するとともに、供給された信号からＮＴＳＣ方式の映像信号を形成しこれを出力するようにする信号変換装置としての機能をも備えたものである。
【００５４】
図１は、この第１の実施の形態のモニタ受像機を説明するためのブロック図である。図１に示すように、この第１の実施の形態のモニタ受像機は、色差信号Ｂ−Ｙ、色差信号Ｒ−Ｙ、輝度信号Ｙの入力端子１ａ、１ｂ、１ｃ、ＣＲＴ表示部２、信号変換部３、付加情報検出／判定部４、スイッチ回路５、出力端子６、表示情報発生部７、ＬＣＤ（液晶ディスプレイ）ドライバ８、ＬＣＤ９を備えたものである。
【００５５】
図１に示すように、入力単位１ａ、１ｂ、１ｃを通じて入力された色差信号Ｂ−Ｙ、色差信号Ｒ−Ｙ、輝度信号Ｙは、ＣＲＴ表示部２と、信号変換部３とに供給される。
【００５６】
ＣＲＴ表示部２は、供給された輝度信号Ｙ、色差信号Ｂ−Ｙ、色差信号Ｒ−Ｙから３原色信号を形成し、これをＣＲＴに供給することによって、ＣＲＴの表示面に映像を表示するようにする。また、信号変換部３は、図１に示すように、この第１の実施の形態においては、輝度信号Ｙ、色差信号Ｂ−Ｙ、色差信号Ｒ−ＹからＮＴＳＣ方式の映像信号を形成し、これをスイッチ回路５、出力端子６を通じて、外部に出力するようにする。
【００５７】
また、この第１の実施の形態において、入力端子１ｃを通じて入力される輝度信号Ｙには、電子透かし情報が重畳されているとともに、垂直帰線消去期間には、ＣＧＭＳ情報、複製防止用の擬似同期信号が付加されている。この輝度信号Ｙは、付加情報検出／判定部４にも供給される。
【００５８】
付加情報検出判定部４は、図１に示すように、電子透かし情報検出部４１、ＣＧＭＳ−Ａ検出部４２、擬似同期信号検出部４３、出力条件判定部４４を備えたものである。そして、付加情報検出／判定部４は、供給された輝度信号Ｙに重畳されている、あるいは、付加されている付加情報のそれぞれを検出し、検出した付加情報に基づいて、信号変換部３において変換されて形成されたＮＴＳＣ方式の映像信号が出力可能なものであるか否かを判定する。
【００５９】
すなわち、入力端子１ｃを通じて入力された輝度信号Ｙは、付加情報検出判定部４の電子透かし情報検出部４１と、ＣＧＭＳ−Ａ検出部４２と、擬似同期信号検出部４３とに供給される。
【００６０】
電子透かし情報検出部４１は、輝度信号Ｙに重畳されている電子透かし情報を検出する。輝度信号Ｙに重畳されている電子透かし情報は、前述したようにＰＮ符号によってスペクトラム拡散されたスペクトラム拡散信号である。この場合、スペクトラム拡散信号は、例えば、１フレーム周期、２フレーム周期というように、映像同期信号に同期するタイミングでリセットされ、かつ、映像同期信号に同期する十分に早い周期で発生させたＰＮ符号列によってスペクトラム拡散されている。
【００６１】
このため、電子透かし情報検出部４１においては、供給された輝度信号Ｙから映像同期信号を分離し、分離した映像同期信号に基づいて、輝度信号Ｙに対し、この輝度信号Ｙに重畳されているスペクトラム拡散信号をスペクトラム拡散して重畳したときと同じタイミングで、同じ系列のＰＮ符号列をその先頭から発生させるためのタイミング信号を形成する。
【００６２】
そして、このタイミング信号を用いて、ＰＮ符号列を発生させ、これを用いてスペクトラム逆拡散を行うことによって、輝度信号Ｙに重畳されているスペクトラム拡散信号である電子透かし情報を検出し、これを出力条件判定部４４に供給する。
【００６３】
ＣＧＭＳ−Ａ検出部４２は、輝度信号Ｙからこれに付加されているＣＧＭＳ情報を検出する。ここでＣＧＭＳ−Ａは、アナログ映像信号用のＣＧＭＳ方式の複製世代制限方式を示しており、ＣＧＭＳ−Ａ検出部４２は、供給されるアナログ輝度信号Ｙの垂直帰線消去期間の予め決められた水平区間に重畳されているアナログ映像信号用のＣＧＭＳ情報を検出し、これを出力条件判定部４４に供給する。
【００６４】
また、擬似同期信号検出部４３は、前述もしたように、複製された映像信号の正常な再生を不能にするために、輝度信号Ｙに付加されている複製防止用の擬似同期信号の有無を検出し、その検出結果を出力条件判定部４４に供給する。
【００６５】
出力条件判定部４４は、電子透かし情報検出部４１、ＣＧＭＳ−Ａ検出部４２、擬似同期信号検出部４３からの検出出力の供給を受けて、この実施の形態のモニタ受像機に供給された映像信号は、複製が禁止されたものであり、当該映像信号を信号変換して出力する場合には、付加情報が欠落するなどして、適切な複製制御ができないために、出力可能な信号でないか否かを判定する。すなわち、電子透かし情報検出部４１、ＣＧＭＳ−Ａ検出部４２、擬似同期信号検出部４３からの検出出力に基づいて、信号変換部３において信号変換されて形成されたＮＴＳＣ方式の映像信号は、出力可能な信号か否かを判定する。
【００６６】
この第１の実施の形態において、輝度信号Ｙに除去や改ざんが困難であり、信頼性の高い電子透かし情報が重畳されている場合には、出力条件判定部４４は、この電子透かし情報に基づいて、信号変換部３からのＮＴＳＣ方式の映像信号は出力可能か否かを判定する。
【００６７】
したがって、輝度信号Ｙに電子透かし情報が重畳されており、その電子透かし情報が複製禁止、あるいは、これ以上の複製禁止を示すものであるときには、出力条件判定部４４は、スイッチ回路５をオフにする制御信号を形成し、これをスイッチ回路５に供給する。また、電子透かし情報が複製を禁止するものでなかったときには、出力条件判定部４４は、スイッチ回路５をオンにする制御信号を形成し、これをスイッチ回路５に供給する。
【００６８】
これにより、電子透かし情報が複製禁止を示すものであるときには、スイッチ回路５はオフにされるので、信号変換回路３からのＮＴＳＣ方式の映像信号が、外部に出力されないようにされて、信号変換回路３からの変換後の映像信号の利用が制限される。また、電子透かし情報が複製禁止を示すものでないときには、スイッチ回路５はオンにされるので、信号変換回路３からのＮＴＳＣ方式の映像信号が、外部に出力される。このように、スイッチ回路５は、この第１の実施の形態において、変換後の信号の利用制限手段としての機能を有している。
【００６９】
また、輝度信号Ｙに電子透かし情報が重畳されていない場合には、出力条件判別部４４は、ＣＧＭＳ情報に基づいて、信号変換部３からのＮＴＳＣ方式の映像信号は出力可能か否かを判定する。この場合、出力条件判定部４４は、ＣＧＭＳ情報が、複製禁止を示すものであるときには、スイッチ回路５をオフにする制御信号を形成し、ＣＧＭＳ情報が、複製禁止を示すものでないときには、スイッチ回路５をオンにする制御信号を形成する。
【００７０】
また、出力条件判定部４４は、輝度信号Ｙに電子透かし情報もＣＧＭＳ情報もないと判断したときには、複製防止用の擬似同期信号の有無に応じて、スイッチ回路５に供給する制御信号を形成する。つまり、この場合、出力条件判別部４４は、擬似同期信号検出部４３からの検出出力が、複製防止用の擬似同期信号を検出したことを示す信号であるときには、スイッチ回路５をオフにする信号を形成し、擬似同期信号検出部４３からの検出出力が、複製防止用の擬似同期信号を検出しなかったことを示すものであるときには、スイッチ回路５をオンにする信号を形成する。
【００７１】
このようにして、出力条件判定部４４において形成されるスイッチ切り換え用の制御信号は、スイッチ回路５に供給されて、前述したように、この制御信号によりスイッチの切り換え制御が行われ、信号変換部３からのＮＴＳＣ方式の映像信号の出力が制限される。
【００７２】
また、この第１の実施の形態において、出力条件判定部４４は、前述したように、電子透かし情報検出部４１、ＣＧＭＳ−Ａ検出部４２、擬似同期信号検出部４３からの検出出力に基づいて、信号変換部３により信号変換されて形成されたＮＴＳＣ方式の映像信号が、出力可能であるか、出力不可であるかを通知するようにするための制御信号を形成し、これを表示情報発生部７に供給する。
【００７３】
表示情報発生部７は、出力条件判定部４４からの制御信号が、信号変換部３からのＮＴＳＣ方式の映像信号が出力不可か、出力可能かを通知するための表示メッセージを形成し、これをＬＣＤドライバ８を通じてＬＣＤ９に供給する。これにより、ＬＣＤ９には、信号変換後のＮＴＳＣ方式の映像信号が、出力可能なものか否かをこの実施の形態の使用者（ユーザ）に対して、迅速かつ正確に通知することができる。
【００７４】
したがって、出力条件判定部４４からの制御信号に基づいて、スイッチ回路５がオフにされ、信号変換部３において信号変換されて形成されたＮＴＳＣ方式の映像信号が出力されない場合でも、入力された映像信号が複製禁止であるために、変換後の信号が出力されないことがＬＣＤ９を通じて、このモニタ受像機の使用者に通知することができる。これにより、変換後の信号がこの第１の実施の形態のモニタ受像機から出力されない場合に、モニタ受像機の故障などと間違えることもない。
【００７５】
次に、図２のフローチャートを参照しながら、この第１の実施の形態のモニタ受像機において行なわれる信号変換されて形成されたＮＴＳＣ方式の映像信号の出力制御について、付加情報検出／判定部４の動作を中心に説明する。
【００７６】
前述したように、この実施の形態のモニタ受像機は、入力端子１ａ、１ｂ、１ｃを通じて供給される輝度信号Ｙ、色差信号Ｂ−Ｙ、Ｒ−Ｙは、ＣＲＴ表示部２と、信号変換部３とに供給されるようにされている。そして、この実施の形態のモニタ受像機に電源が投入されると、ＣＲＴ表示部２においては、輝度信号Ｙ、色差信号Ｂ−Ｙ、Ｒ−Ｙによって形成される映像の表示処理が行われ、信号変換部３においては、信号変換を行ってＮＴＳＣ方式の映像信号を形成する処理が行なわれる。
【００７７】
これと同時に、輝度信号Ｙは、付加情報検出／判定部４に供給され、信号変換されて形成されるＮＴＳＣ方式の映像信号の出力制御を行うために、図２に示す処理が実行される。この場合、入力端子１ｃを通じて供給される輝度信号Ｙは、付加情報検出／判定部４の電子透かし情報検出部４１、ＣＧＭＳ−Ａ検出部４２、擬似同期信号検出部４３のそれぞれに供給されて、輝度信号Ｙに重畳あるいは付加されている電子透かし情報、ＣＧＭＳ情報、複製防止用の擬似同期信号を検出する処理を行い、検出出力が出力条件判定部４４に供給される（ステップＳ１０１）。
【００７８】
そして、出力条件判定部４４は、電子透かし情報検出部４１からの検出出力に基づいて、輝度信号Ｙに電子透かし情報が重畳されているか否かを判断する（ステップＳ１０２）。ステップＳ１０２の判断処理において、電子透かし情報が重畳されていないと判断したときには、出力条件判定部４４は、ＣＧＭＳ−Ａ検出部４２からの検出出力に基づいて、輝度信号ＹにＣＧＭＳ情報が付加されているか否かを判断する（ステップＳ１０３）。
【００７９】
ステップＳ１０３の判断処理において、ＣＧＭＳ情報が付加されていないと判断したときには、出力条件判定部４４は、擬似同期信号検出部４３からの検出出力に基づいて、輝度信号Ｙに複製防止用の擬似同期信号が付加されているか否かを判断する（ステップＳ１０４）。
【００８０】
ステップＳ１０４に判断処理において、複製防止用の擬似同期信号が付加されていないと判断したときには、輝度信号Ｙには、いづれの付加情報も重畳あるいは付加されていないので、出力条件判定部４４は、スイッチ５をオンにするように制御して、信号変換されて形成されたＮＴＳＣ方式の映像信号を出力端子６を通じて出力するようにするとともに、ＬＣＤ９にメッセージを表示するようにして、信号変換されて形成されたＮＴＳＣ方式の映像信号は、複製は禁止されておらず、出力可能な信号であることを通知するようにする（ステップＳ１０５）。
【００８１】
また、ステップＳ１０２の判断処理において、輝度信号Ｙに電子透かし情報が重畳されていると判断した場合、または、ステップＳ１０３の判断処理において。輝度信号にＣＧＭＳ情報が付加されていると判断した場合には、出力条件判定部４４は、重畳されている電子透かし情報、または、付加されているＣＧＭＳ情報が、この実施の形態のモニタ受像機に入力された映像信号の複製を禁止することを示すものであるか否かを判断する（ステップＳ１０６）。
【００８２】
ステップＳ１０６の判断処理において、重畳されている電子透かし情報、または、付加されているＣＧＭＳ情報が複製禁止を示す情報であると判断した場合には、出力状態判定部４４は、スイッチ５をオフにするように制御して、信号変換されて形成されたＮＴＳＣ方式の映像信号を外部に出力しないようにするとともに、ＬＣＤ９にメッセージを表示するようにして、信号変換されて形成されたＮＴＳＣ方式の映像信号は、複製が禁止されており、出力不可であることを通知するようにする（ステップＳ１０７）。
【００８３】
また、ステップＳ１０６の判断処理において、重畳されている電子透かし情報、または、付加されているＣＧＭＳ情報が複製禁止を示すものでないと判断した場合には、ステップＳ１０５の処理に進み、前述したように、信号変換されて形成されたＮＴＳＣ方式の映像信号を出力するようにするとともに、ＬＣＤ９を通じて、信号変換されて形成されたＮＴＳＣ方式の映像信号は、出力可能であることを通知するようにする。
【００８４】
また、ステップＳ１０４の判断処理において、複製防止用の擬似同期信号ありと判断したときには、この実施の形態のモニタ受像機に供給された映像信号は、複製が禁止されたものであると判断し、ステップＳ１０７の処理に進み、前述したように、信号変換されて形成されたＮＴＳＣ方式の映像信号を外部に出力しないようにするとともに、ＬＣＤ９を通じて、信号変換されて形成されたＮＴＳＣ方式の映像信号は、出力不可であることを通知するようにする。
【００８５】
このように、この実施の形態のモニタ受像機は、信号変換部３を備え、輝度信号Ｙ、色差信号Ｂ−Ｙ、Ｒ−Ｙを信号変換してＮＴＳＣ方式の映像信号を形成し、これを出力する機能を備えたものである。そして、前述もしたように、通常、信号変換を行うと、信号変換前の映像信号に重畳、付加されている付加情報が、変換後の映像信号においては欠落してしまったり、あるいは、劣化するなどして、信号変換後の映像信号の供給を受ける例えば記録装置においては付加情報を検出することができなくなり、付加情報に応じた複製制御ができなくなることがある。
【００８６】
しかし、この第１の実施の形態のモニタ受像機の場合には、信号変換後の映像信号の当該モニタ受像機からの出力を、信号変換前の映像信号に重畳、付加されている付加情報に基づいて制御するので、この第１の実施の形態のモニタ受像機に入力され、信号変換される映像信号の著作権を確実の保護することができる。
【００８７】
したがって、この実施の形態のモニタ受像機において信号変換されて形成されたＮＴＳＣ方式の映像信号の供給を受ける例えば記録装置において、検出可能な電子透かし情報、ＣＧＭＳ情報、複製防止用の擬似同期信号といった付加情報を、この実施の形態のモニタ受像機において重畳し直したり付加し直して出力するようにしなくても、このモニタ受像機において信号変換される映像信号の著作権を確実に保護することができる。また、出力する映像信号に付加情報を重畳し直したり付加し直すこともないので、モニタ受像機のコストが高くなることもない。
【００８８】
このように、この第１の実施の形態のモニタ受像機は、信号変換部３、付加情報検出／判定部４、スイッチ回路５、表示情報発生部７、ＬＣＤドライバ８、ＬＣＤ９により構成される信号変換装置が搭載されたものであり、入力映像信号を信号変換して形成した変換後の映像信号を出力する機能を備えるものである。しかし、前述したように、変換後の映像信号の出力は、入力映像信号に付加されている付加情報に基づいて出力制御されるので、この実施の形態のモニタ受像機が、複製が禁止された映像信号を違法に複製するための迂回装置となることもない。
【００８９】
また、この第１の実施の形態において、３つの付加情報の検出結果が一致すれば、何ら問題なく出力判定が可能であるが、３つの付加情報の検出結果のうち、１つでも、異なった場合には、セキュリティの高さの点で、電子透かし情報の判定結果を優先し、その次に、世代コントロール可能なＣＧＭＳ情報の判定結果を優先させる。また、３つの付加情報のうち、最も複製禁止に近い条件の付加情報を優先させるようにしてもよい。
【００９０】
なお、この実施の形態においては、複製防止用の擬似同期信号を検出するようにした。しかし、ＡＰＣの特性の相違を利用して、複製記録された映像信号を正常に利用させないためのカラーバースト信号の部分的な位相の反転を検出したときに、入力映像信号は、複製記録が制限されたものと判断するようにしてもよい。もちろん、擬似同期信号、カラーバースト信号の部分的な位相反転の両方を検出するようにし、いずれかが検出された場合に、入力映像信号は、複製記録が制限されたものと判断するようにすることもできる。
【００９１】
［第２の実施の形態］
信号変換処理は、前述した輝度信号および色差信号からなるコンポーネント信号をＮＴＳＣ方式の映像信号に変換する処理だけでなく、種々の信号変換が行なわれる。例えば、入力信号が映像信号の場合には、走査線数の変換、走査方式の変換、映像信号のフォーマットの変換など様々な信号変換が行なわれる。
【００９２】
そこで、以下においては、信号変換の具体的な例をあげて、信号変換装置について説明する。以下に説明する信号変換装置は、例えば、モニタ受像機や映像信号の再生装置など搭載されて用いられたり、例えば、信号フォーマットが異なるために使用できない映像信号を使用可能な映像信号に変換するための信号変換装置として用いられるものである。
【００９３】
［走査線数の変換を行う信号変換装置について］
図３は、供給された映像信号の走査線数の変換を行う信号変換装置を説明するためのブロック図である。図３に示すように、この例の信号変換装置は、映像信号の入力端子１１、信号変換部１２、付加情報検出／判定部１３、スイッチ回路１４、出力端子１５、表示情報発生部１６、ＬＣＤドライバ１７、ＬＣＤ１８、コントロール部１９を備えたものである。
【００９４】
コントロール部１９は、ＣＰＵ、ＲＯＭ、ＲＡＭを備えたマイクロコンピュータであり、例えば、図示しないキー操作部を通じて入力された使用者からの操作入力に応じて、各部を制御するための制御信号を形成し、これを各部に供給することにより、この例の信号変換装置を制御するものである。
【００９５】
そして、入力端子１１を通じて供給された映像信号は、信号処理部１２と、付加情報検出／判定部１３とに供給される。この例の信号変換部１２は、スイッチ回路１２１、１２４と、走査線補間部１２２、走査線間引き部１２３とを備えたものである。
【００９６】
走査線補間部１２２は、例えば、１フレームの走査線数が５２５本の映像信号を、１フレームの走査線数が１０８０本の映像信号に変換する場合に、入力された映像信号に不足分の走査線を補間する処理を行う。また、走査線間引部１２３は、例えば、１フレームの走査線数が１０８０本の映像信号を、１フレームの走査線数が５２５本の映像信号に変換する場合に、入力された映像信号から走査線を間引く処理を行う。
【００９７】
このように、この例の信号変換部１２は、入力された映像信号の走査線の補間、間引きが可能なようにされている。そして、使用者の選択入力に応じたコントロール部１９からの制御信号により、信号変換部１２のスイッチ回路１２１、１２４は、連動して切り換えられるようにされている。
【００９８】
そして、１フレームの走査線数が５２５本の映像信号の供給を受けて、これを１フレームの走査線数が１０８０本の映像信号に変換する場合には、コントロール部１９からの制御信号により、スイッチ回路１２１、１２４は、ともに走査線補間部１２２側に切り換えられる。
【００９９】
これにより、１フレームの走査線数が５２５本の映像信号は、入力端子１１、スイッチ回路１２１を通じて走査線補間部１２２に供給され、ここで走査線が補間されることにより、１フレームの走査線数が１０８０本の映像信号に変換され、この変換後の映像信号がスイッチ回路１２４を通じてスイッチ回路１４に供給される。
【０１００】
また、１フレームの走査線数が１０８０本の映像信号の供給を受けて、これを１フレームの走査線数が５２５本の映像信号に変換する場合には、コントロール部１９からの制御信号により、スイッチ回路１２１、１２４は、ともに走査線間引部１２３側に切り換えられる。
【０１０１】
これにより、１フレームの走査線数が１０８０本の映像信号は、入力端子１１、スイッチ回路１２１を通じて走査線間引部１２３に供給され、ここで走査線が間引かれることにより、１フレームの走査線数が５２５本の映像信号に変換され、この変換後の映像信号がスイッチ回路１２４を通じてスイッチ回路１４に供給される。
【０１０２】
一方、付加情報検出／判定部１３は、前述した第１の実施の形態のモニタ受像機の付加情報検出／判定部４と同様に構成されたものであり、電子透かし情報検出部、ＣＧＭＳ−Ａ検出部、擬似同期信号検出部、出力条件判定部を備え、供給された映像信号に付加されている複数の付加情報を検出し、検出した付加情報に基づいて、信号変換後の映像信号は出力可能なものであるか否かを判定する。
【０１０３】
そして、付加情報検出／判定部１３は、前述した第１の実施の形態の付加情報検出／判定部４と同様に、信号変換後の映像信号が出力不能なものであると判定したときには、スイッチ回路１４をオフにする制御信号を形成して、スイッチ回路１４に供給する。また、このとき、付加情報検出／判定部１３は、表示情報発生部１６を制御して、信号変換後の映像信号は、出力不能であることを通知するためのメッセージを発生させ、これをＬＣＤドライバ１７を通じてＬＣＤ１８に供給し、ＬＣＤ１８の表示面に表示するようにする。
【０１０４】
また、付加情報検出／判定部１３は、信号変換後の映像信号が出力可能なものであると判定したときには、スイッチ回路１４をオンにする制御信号を形成して、スイッチ回路１４に供給する。また、付加情報検出／判定部１３は、表示情報発生部１６を制御して、信号変換後の映像信号は、出力可能であることを通知するためのメッセージを発生させ、これをＬＣＤドライバ１７を通じてＬＣＤ１８に供給し、ＬＣＤ１８の表示面に表示するようにする。
【０１０５】
この例の場合には、信号変換部１２は、映像信号の走査線数を変更するものであり、走査線数を増やす場合にも、走査線数を減らす場合にも、入力された映像信号に重畳されている電子透かし情報は劣化してしまうし、また、映像同期信号の付け替えを行う場合などにおいては、ＣＧＭＳ情報や複製防止用の擬似同期信号は、欠落してしまう。このため、入力映像信号に複製を禁止することを示す付加情報が重畳あるいは付加されていても、信号変換後の映像信号からこれを検出して、適正に複製制御を行うこができない場合がある。
【０１０６】
しかし、この例の信号変換装置においては、前述した第１の実施の形態のモニタ受像機の場合と同様に、入力映像信号に重畳あるいは付加されている付加情報に基づいて、信号変換後の映像信号の出力を制御することができるので、入力された映像信号の著作権を確実に保護することができる。
【０１０７】
なお、この例においては、１フレームの走査線数が５２５本の映像信号を１フレームの走査線数が１０８０本の映像信号に変換したり、この逆に、１フレームの走査線数が１０８０本の映像信号を１フレームの走査線数が５２５本の映像信号に変換する場合を例にして説明した。しかし、これに限るものではない。
【０１０８】
例えば、１フレームの走査線数が５２５本の映像信号と、１フレームの走査線数が７２０本の映像信号との相互間の変換や、１フレームの走査線数が１０８０本の映像信号と、１フレームの走査線数が７２０本の映像信号の相互間の変換を行うようにすることもできる。
【０１０９】
例えば、入力映像信号の１フレーム当たりの走査線数と、変換後の映像信号の１フレーム当たりの走査線数とをこの例の信号変換装置に入力するようにして、目的とする走査線数の映像信号を形成するようにすることもできる。
【０１１０】
［走査方式の変換を行う信号変換装置について］
図４は、供給された映像信号の走査方式の変換を行う信号変換装置を説明するためのブロック図である。この図４に示す信号処理装置において、図３を用いて前述した信号処理装置と同様に構成される部分には、同じ参照符号を付し、その説明については省略する。
【０１１１】
図４に示すように、この例の信号変換装置は、映像信号の入力端子１１、信号変換部２２、付加情報検出／判定部１３、スイッチ回路１４、出力端子１５、表示情報発生部１６、ＬＣＤドライバ１７、ＬＣＤ１８、コントロール部１９を備えたものである。
【０１１２】
この例の信号変換装置の信号変換部２２は、スイッチ回路２２１、２２４、インターレース（飛び越し走査）／ノンインターレース（順次走査）変換部２２２、ノンインターレース（順次走査）／インターレース（飛び越し走査）変換部２２３を備えたものである。スイッチ回路２２１、２２４は、図３を用いて前述した信号変換部１２のスイッチ回路１２１、１２２と同様に、使用者からの選択入力に応じたコントロール部１９からの制御信号により切り換えられる。
【０１１３】
そして、入力端子１を通じて入力された映像信号が、インターレース方式の映像信号であり、スイッチ回路２２１、２２４が、インターレース／ノンインターレース変換部２２２側に切り換えられたときには、入力端子１を通じて入力された映像信号は、スイッチ回路２２１を通じて、インターレース／ノンインターレース変換部２２２に供給される。
【０１１４】
インターレース／ノンインターレース変換部２２２は、インターレース方式の映像信号を、同じフレームの映像を形成する２フィールド分の映像信号を合成するようにして、ノンインターレース方式の映像信号に信号変換し、これをスイッチ回路２２４を通じて、スイッチ回路１４に供給する。
【０１１５】
また、入力端子１を通じて入力された映像信号が、ノンインターレース方式の映像信号であり、スイッチ回路２２１、２２４が、ノンインターレース／インターレース変換部２２３側に切り換えられたときには、入力端子１を通じて入力された映像信号は、スイッチ回路２２１を通じて、ノンインターレース／インターレース変換部２２３に供給される。
【０１１６】
ノンインターレース／インターレース変換部２２３は、ノンインターレース方式の映像信号を、同じフレームの映像信号を２フィールドの映像信号に分離するようにして、インターレース方式の映像信号に信号変換し、これをスイッチ回路２２４を通じて、スイッチ回路１４に供給する。
【０１１７】
スイッチ回路１４は、前述したように、付加情報検出／判定部１３からの切り換え制御信号により切り換えられる。すなわち、この図４に示す信号変換装置においても、信号変換前の映像信号に重畳あるいは付加されている付加情報に基づいて、信号変換後の映像信号が出力可能なものか否かを判定し、この判定結果に応じて、スイッチ回路１４が切り換えられるので、信号変換される入力映像信号の著作権を確実に保護することができるようにされる。
【０１１８】
すなわち、走査方式が変換されて、入力映像信号に重畳あるいは付加されている付加情報が欠落したり劣化しても、信号変換前の映像信号に重畳あるいは付加されている付加情報に基づいて、確実かつ適正に信号変換後の映像信号の出力制御を行って、信号変換される映像信号の著作権を確実に保護することができる。
【０１１９】
［信号のフォーマット変換を行う信号変換装置］
［（１）ＨＤＴＶとＳＤＴＶとの相互の信号変換を行う信号変換装置について］
図５は、ＨＤＴＶ（高品位テレビ）方式の映像信号とＳＤＴＶ（標準テレビ）方式の映像信号との相互の信号変換が可能な信号変換装置を説明するためのブロック図である。この図５に示す信号処理装置においても、図３を用いて前述した信号処理装置と同様に構成される部分には、同じ参照符号を付し、その説明については省略する。
【０１２０】
図５に示すように、この例の信号変換装置は、映像信号の入力端子１１、信号変換部３２、付加情報検出／判定部１３、スイッチ回路１４、出力端子１５、表示情報発生部１６、ＬＣＤドライバ１７、ＬＣＤ１８、コントロール部１９を備えたものである。
【０１２１】
この例の信号変換装置の信号変換部３２は、スイッチ回路３２１、３２４、ＨＤＴＶ／ＳＤＴＶ変換部３２２、ＳＤＴＶ／ＨＤＴＶ変換部３２３を備えたものである。スイッチ回路３２１、３２４は、図３を用いて前述した信号変換部１２のスイッチ回路１２１、１２２と同様に、使用者からの選択入力に応じたコントロール部１９からの制御信号により切り換えられる。
【０１２２】
そして、入力端子１を通じて入力された映像信号が、ＨＤＴＶ方式の映像信号であり、スイッチ回路２２１、２２４が、ＨＤＴＶ／ＳＤＴＶ変換部３２２側に切り換えられたときには、入力端子１を通じて入力された映像信号は、スイッチ回路２２１を通じて、ＨＤＴＶ／ＳＤＴＶ変換部３２２に供給される。
【０１２３】
ＨＤＴＶ／ＳＤＴＶ変換部３２２は、走査線数を間引いたり、水平方向のクロック数を遅くするなどして、ＨＤＴＶ方式の映像信号を、ＳＤＴＶ方式の映像信号に信号変換し、これをスイッチ回路２２４を通じて、スイッチ回路１４に供給する。
【０１２４】
また、入力端子１を通じて入力された映像信号が、ＳＤＴＶ方式の映像信号であり、スイッチ回路３２１、３２４が、ＳＤＴＶ／ＨＤＴＶ変換部３２３側に切り換えられたときには、入力端子１を通じて入力された映像信号は、スイッチ回路３２１を通じて、ＳＤＴＶ／ＨＤＴＶ変換部３２３に供給される。
【０１２５】
ＳＤＴＶ／ＨＤＴＶ変換部３２３は、ＳＤＴＶ方式の映像信号を、走査線を補間したり、水平方向のクロック周波数を早くするなどして、ＨＤＴＶ方式の映像信号に信号変換し、これをスイッチ回路３２４を通じて、スイッチ回路１４に供給する。
【０１２６】
スイッチ回路１４は、前述したように、付加情報検出／判定部１３からの切り換え制御信号により切り換えられる。すなわち、この図５に示す信号変換装置においても、信号変換前の映像信号に重畳あるいは付加されている付加情報に基づいて、信号変換後の映像信号が出力可能なものか否かを判定し、この判定結果に応じて、スイッチ回路１４が切り換えられる。
【０１２７】
したがって、ＨＤＴＶ方式の映像信号をＳＤＴＶ方式の映像信号に信号変換した場合、また、その逆にＳＤＴＶ方式の映像信号をＨＤＴＶ方式の映像信号に信号変換した場合には、信号変換前の映像信号に重畳あるいは付加されている付加情報は、欠落したり劣化したりしてしまうことがある。
【０１２８】
しかし、この場合には、信号変換後の映像信号は、信号変換前の映像信号に付加されている付加情報に基づいて出力制御されるので、この信号変換装置に供給されて、信号変換される映像信号の著作権を確実に保護することができる。
【０１２９】
なお、ＨＤＴＶ／ＳＤＴＶ変換部３２２は、１０８０ｉ、７２０ｐ、５２５ｐの映像信号から５２５ｉの映像信号への変換ができるものであり、ＳＤＴＶ／ＨＤＴＶ変換部３２３は、５２５ｉの映像信号から、１０８０ｉ、７２０ｐ、５２５ｐの映像信号への変換ができるものである。ここで、５２５、７２０、１０８０は、走査線数を示し、「ｉ」は、走査方式がインターレースであり、「ｐ」は、ノンインターレース（プログレッシブ）であることを示している。
【０１３０】
そして、ＨＤＴＶ方式の映像信号がどの映像信号かは、例えば、コントロール部１９に接続されたキー操作部を通じて、使用者が選択することができるようにされる。
【０１３１】
［（２）ＶＧＡとＴＶとの相互の信号変換を行う信号変換装置について］
図６は、コンピュータの画像データフォーマットの映像信号と、ＨＤＴＶ（高品位テレビ）方式の映像信号あるいはＳＤＴＶ（標準テレビ）方式の映像信号との相互の信号変換が可能な信号変換装置を説明するためのブロック図である。この図６に示す信号処理装置においても、図３を用いて前述した信号処理装置と同様に構成される部分には、同じ参照符号を付し、その説明については省略する。
【０１３２】
図６に示すように、この例の信号変換装置は、映像信号の入力端子１１、信号変換部４２、付加情報検出／判定部１３、スイッチ回路１４、出力端子１５、表示情報発生部１６、ＬＣＤドライバ１７、ＬＣＤ１８、コントロール部１９を備えたものである。
【０１３３】
この例の信号変換装置の信号変換部４２は、スイッチ回路４２１、４２４、コンピュータの画像データフォーマット、この例においては、ＶＧＡ（Ｖｉｄｅｏ  Ｇｒａｐｈｉｃｓ  Ａｒｒａｙ）規格の映像信号を、ＨＤＴＶ方式の映像信号に信号変換するＶＧＡ／ＴＶ変換部４２２、このＶＧＡ／ＴＶ変換部４２２の逆の処理、すなわち、ＨＤＴＶ方式の映像信号を、ＶＧＡ規格の映像信号に信号変換するＴＶ／ＶＧＡ変換部４２３を備えたものである。スイッチ回路４２１、４２４は、図３を用いて前述した信号変換部１２のスイッチ回路１２１、１２２と同様に、使用者からの選択入力に応じたコントロール部１９からの制御信号により切り換えられる。
【０１３４】
そして、入力端子１を通じて入力された映像信号が、ＶＧＡ規格の映像信号であり、スイッチ回路２２１、２２４が、ＶＧＡ／ＴＶ変換部４２２側に切り換えられたときには、入力端子１を通じて入力された映像信号は、スイッチ回路４２１を通じて、ＶＧＡ／ＴＶ変換部４２２に供給される。
【０１３５】
ＶＧＡ／ＴＶ変換部４２２は、コンピュータ処理用のＶＧＡ規格の映像信号からＨＤＴＶ方式の映像信号に信号変換することによって、例えば、コンピュータを用いて作成された映像信号を、モニタ受像機に供給してその映像信号を映出することが可能な形式の信号に変換されて出力される。この信号変換後の映像信号は、スイッチ回路４２４を通じて、スイッチ回路１４に供給される。
【０１３６】
また、入力端子１を通じて入力された映像信号が、ＨＤＴＶ方式の映像信号であり、スイッチ回路４２１、４２４が、ＴＶ／ＶＧＡ変換部４２３側に切り換えられたときには、入力端子１を通じて入力された映像信号は、スイッチ回路４２１を通じて、ＴＶ／ＶＧＡ変換部４２３に供給される。
【０１３７】
ＴＶ／ＶＧＡ変換部４２３は、ＨＤＴＶ方式の映像信号を、ＧＶＡ規格の映像信号に変換する。これにより、例えば、ビデオカメラなどを用い撮影した映像信号をコンピュータを用いて加工が可能な形式の信号にして出力することができるようにされる。このＨＤＴＶ方式の映像信号に変換された映像信号は、スイッチ回路４２４を通じて、スイッチ回路１４に供給される。
【０１３８】
この場合においても、スイッチ回路１４は、前述したように、付加情報検出／判定部１３からの切り換え制御信号により切り換えられる。すなわち、この図６に示す信号変換装置においても、信号変換前の映像信号に重畳あるいは付加されている付加情報に基づいて、信号変換後の映像信号が出力可能なものか否かを判定し、この判定結果に応じて、スイッチ回路１４が切り換えられる。
【０１３９】
したがって、ＶＧＡ規格の映像信号をＨＤＴＶ方式の映像信号に信号変換した場合、また、その逆にＨＤＴＶ方式の映像信号をＶＧＡ方式の映像信号に信号変換した場合には、信号変換前の映像信号に重畳あるいは付加されている付加情報は、欠落したり劣化したりしてしまうことがある。
【０１４０】
しかし、この例においても、信号変換後の映像信号は、信号変換前の映像信号に付加されている付加情報に基づいて出力制御されるので、この信号変換装置に供給された映像信号の著作権を確実に保護することができる。
【０１４１】
なお、図３〜図６を用いて前述した信号変換装置の付加情報検出／判定部１３は、図２のフローチャートを用いて前述した第１の実施の形態の付加情報検出／判定部４と同様に、信号変換前の信号に付加されている複数の付加情報を検出し、検出した付加情報に基づいて、信号変換後の信号の出力の制御が行なわれる。
【０１４２】
また、この例の信号変換装置は、ＶＧＡ方式の映像信号と、ＨＤＴＶ方式の映像信号の相互の信号変換を行うものとして説明したが、ＶＧＡ方式の映像信号と、ＳＤＴＶ方式の映像信号の相互の信号変換を行うようにすることももちろんできる。
【０１４３】
［（３）ＮＴＳＣ→ＰＡＬなどの信号変換を行う信号変換装置について］
図７は、ＮＴＳＣ方式の映像信号を、ＰＡＬ方式、ＳＥＣＡＭ方式の映像信号に信号変換が可能な信号変換装置を説明するためのブロック図である。この図７に示す信号処理装置においても、図３を用いて前述した信号処理装置と同様に構成される部分には、同じ参照符号を付し、その説明については省略する。
【０１４４】
図７に示すように、この例の信号変換装置は、映像信号の入力端子１１、スイッチ回路１４、出力端子１５、表示情報発生部１６、ＬＣＤドライバ１７、ＬＣＤ１８、コントロール部１９、Ｄ／Ａ変換回路５１、信号変換部５２、Ａ／Ｄ変換回路５３、付加情報検出／判定部５４を備えたものである。
【０１４５】
この例においては、図７に示したように、Ｄ／Ａ変換回路５１、Ａ／Ｄ変換回路５３を備えており、ＮＴＳＣ方式のデジタル映像信号の供給を受けて、これをアナログ映像信号に変換する。そして、これをＰＡＬ方式の映像信号、あるいは、ＳＥＣＡＭ方式の映像信号に変換した後、さらにデジタル信号に変換して出力するようにするものである。
【０１４６】
そして、この例の信号変換装置の信号変換部５２は、スイッチ回路５２１、５２４、ＮＴＳＣ方式のアナログ映像信号をＰＡＬ方式のアナログ映像信号に信号変換するＮＴＳＣ／ＰＡＬ変換部５２２、ＮＴＳＣ方式のアナログ映像信号をＳＥＣＡＭ方式のアナログ映像信号に信号変換するＮＴＳＣ／ＳＥＣＡＭ変換部５２、３を備えるものである。スイッチ回路５２１、５２４は、図３を用いて前述した信号変換部１２のスイッチ回路１２１、１２２と同様に、使用者からの選択入力に応じたコントロール部１９からの制御信号により切り換えられる。
【０１４７】
そして、スイッチ回路５２１、５２４が、ＮＴＳＣ／ＰＡＬ変換部５２２側に切り換えられたときには、入力端子１を通じて入力され、Ｄ／Ａ変換回路５１によりアナログ映像信号に変換されたＮＴＳＣ方式の映像信号は、スイッチ回路５２１を通じて、ＮＴＳＣ／ＰＡＬ変換部５２２に供給される。
【０１４８】
ＮＴＳＣ／ＰＡＬ変換部５２２は、前述もしたように、ＮＴＳＣ方式の映像信号をＰＡＬ方式の映像信号に変換し、これをスイッチ回路５２４を通じて、スイッチ回路１４に供給する。
【０１４９】
また、スイッチ回路５２１、５２４が、ＮＴＳＣ／ＳＥＣＡＭ変換部５２３側に切り換えられたときには、入力端子１を通じて入力され、Ｄ／Ａ変換回路５１によりアナログ映像信号に変換されたＮＴＳＣ方式の映像信号は、スイッチ回路５２１を通じて、ＮＴＳＣ／ＳＥＣＡＭ変換部５２３に供給される。
【０１５０】
ＮＴＳＣ／ＳＥＣＡＭ変換部５２３は、前述もしたように、ＮＴＳＣ方式の映像信号をＳＥＣＡＭ方式の映像信号に変換し、これをスイッチ回路５２４を通じて、スイッチ回路１４に供給する。
【０１５１】
一方、付加情報検出／判定部５４は、図１を用いて前述したモニタ受像機の場合と同様に、供給された映像信号に重畳あるいは付加されている複数の付加情報のそれぞれを検出し、検出した付加情報に基づいて、信号変換後の映像信号の出力を制御するようにするものである。
【０１５２】
この例において、付加情報検出／判定部５４は、電子透かし情報検出部、ＣＧＭＳ−Ｄ検出部、出力条件判定部を備えるものである。なお、ここでＣＧＭＳ−Ｄは、デジタル映像信号用のＣＧＭＳ方式の複製世代制限方式を示しており、ＣＧＭＳ−Ｄ検出部は、供給されるデジタル映像信号の映像データとは分離された領域に付加されている２ビットのＣＤＭＳ情報を検出する。
【０１５３】
そして、付加情報検出／判定部５４は、検出した付加情報に基づいて、信号変換後の映像信号が出力可能なものか否かを判定し、この判定結果に応じて、スイッチ回路１４を制御する切り換え制御信号を形成し、これをスイッチ回路１４に供給する。つまり、この例においても、スイッチ回路１４は、付加情報検出／判定部５４からの切り換え制御信号により切り換えられる。
【０１５４】
そして、ＮＴＳＣ方式の映像信号をＰＡＬ方式の映像信号に信号変換した場合、あるいは、ＮＴＳＣ方式の映像信号をＳＥＣＡＭ方式の映像信号に信号変換した場合には、信号変換前の映像信号に重畳あるいは付加されている付加情報は、欠落したり劣化したりしてしまうことがあると考えられる。
【０１５５】
しかし、この例においても、信号変換後の映像信号は、信号変換前の映像信号に付加されている付加情報に基づいて出力が制御されるので、この信号変換装置に供給された映像信号の著作権を確実に保護することができる。
【０１５６】
そして、この例の場合には、信号変換前の映像信号に複製を禁止したり、制限するための付加情報が重畳あるいは付加されていなかった場合には、スイッチ回路１４は、付加情報検出／判定部５４からの切り換え制御信号によりオンとなるようにされるので、信号変換されたアナログ映像信号が、Ａ／Ｄ変換回路５３に供給され、ここでデジタル映像信号に変換されて出力される。
【０１５７】
このように、この例の場合には、デジタル信号からアナログ信号への信号変換およびアナログ信号からデジタル信号への信号変換も行なわれるものであるが、信号変換前の映像信号に付加されている付加情報に基づいて、映像信号の出力制御がされるので、この信号変換装置に供給されて、信号変換された後に出力される映像信号の著作権を確実に保護することができる。
【０１５８】
また、供給されたデジタル信号をアナログ信号に信号変換して出力する場合や、供給されたアナログ信号をデジタル信号に信号変換して出力する場合にも、信号変換前の映像信号に付加されている付加情報に基づいて、映像信号の出力制御を行うことができるので、信号変換装置に供給されて、信号変換された後に出力される映像信号の著作権を確実に保護することができる。
【０１５９】
また、この例においては、ＮＴＳＣ方式の映像信号をＰＡＬ方式、ＳＥＣＡＭ方式の映像信号に信号変換するものとして説明したが、ＰＡＬ方式、ＳＥＣＡＭ方式の映像信号をＮＴＳＣ方式の映像信号に信号変換する場合にも、同様にして、入力されて信号変換される映像信号の著作権を保護することができる。
【０１６０】
［（４）デジタル映像信号の圧縮方式の変換を行う信号変換装置について］
図８は、この発明による装置、方法が適用された信号変換装置であって、供給されたデジタル映像信号の圧縮方式の変換を行う信号変換装置を説明するためのブロック図である。この例において、図８に示す信号変換装置は、ＭＰＥＧ方式でデータ圧縮されたデジタル映像信号をいわゆるＶＤ方式とよばれる動画圧縮方式でデータ圧縮したデジタル映像信号に信号変換するものとして説明する。
【０１６１】
図８に示すように、この例の信号変換装置は、デジタル映像信号の入力端子７１、ＩＥＥＥ１３９４インターフェース７２、７８、デ・スクランブル部７３、圧縮方式変換部７４、付加情報検出／判定部７５、暗号化部７６、スイッチ回路７７、デジタル映像信号の出力端子７９、表示情報発生部８０、ＬＣＤドライバ８１、ＬＣＤ８２、コントロール部８３を備えている。
【０１６２】
そして、入力端子７１、ＩＥＥＥ１３９４インターフェース７２を通じて入力されたＭＰＥＧ方式でデータ圧縮されたデジタル映像信号は、デ・スクランブル部７３に供給される。デ・スクランブル部７３は、供給されたデジタル映像信号にかけられているスクランブルを解くデ・スクランブル処理を行う。
【０１６３】
デ・スクランブルされたデジタル映像信号は、圧縮方式変換部７４と、付加情報検出／判定部７５とに供給される。圧縮変換部７４は、前述もしたように、この例においてはＭＰＥＧ方式でデータ圧縮されているデジタル映像信号を、ＶＤ方式でデータ圧縮したデジタル映像信号に信号変換する。圧縮方式が変換された信号変換後のデジタル映像信号は、暗号化部７６に供給され、ここで暗号化処理（スクランブル処理）が施され、スクランブル処理されたデジタル映像信号が、スイッチ回路７７に供給される。
【０１６４】
一方、付加情報検出／判定部７５は、図１を用いて前述したモニタ受像機の場合と同様に、供給された映像信号に重畳あるいは付加されている複数の付加情報のそれぞれを検出し、検出した付加情報に基づいて、信号変換後の映像信号の出力を制御するようにするものである。
【０１６５】
この例においては、付加情報検出／判定部７５は、電子透かし情報検出部、ＣＧＭＳ−Ｄ検出部、出力条件判定部を備えるものである。そして、前述もしたように、ＣＧＭＳ−Ｄ検出部は、供給されるデジタル映像信号に映像データとは分離された領域に付加されている２ビットのＣＤＭＳ情報を検出する。
【０１６６】
そして、付加情報検出／判定部７５は、検出した付加情報に基づいて、信号変換後の映像信号が出力可能なものか否かを判定し、この判定結果に応じて、スイッチ回路７７を制御する切り換え制御信号を形成し、これをスイッチ回路７７に供給する。つまり、この例においても、スイッチ回路７７は、付加情報検出／判定部７５からの切り換え制御信号により切り換えられる。
【０１６７】
これにより、信号変換前の映像信号に複製を禁止する付加情報が重畳、付加されていない場合には、スイッチ回路７７はオンになるようにされるので、暗号化部７６においてスクランブル処理された信号変換後のデジタル映像信号は、ＩＥＥＥ１３９４インターフェース７８、出力端子７９を通じて出力される。
【０１６８】
また、信号変換前の映像信号に複製を禁止する付加情報が重畳、付加されていた場合には、スイッチ回路７７はオフになるようにされるので、暗号化部７６においてスクランブル処理された信号変換後のデジタル映像信号は、この例の信号変換装置からは出力されないようにされる。
【０１６９】
また、ＩＥＥＥ１３９４規格のインターフェースにおいては、不正な複製を防止するために、伝送デジタル情報には前述したようにスクランブル処理を施すが、出力先が電子透かし情報やＣＧＭＳ情報に基づく複製世代制限処理に対応する装置（コンプライアントの装置）であるか、複製世代制限処理に対応していない装置（ノンコンプライアントの装置）であるかなどを検証するとともに、複製制御のための情報であるＣＧＭＳ情報や電子透かし情報を検証して、それらの検証結果に応じて、前記暗号化を解くためキーを出力先に送出するか否かを決定する。
【０１７０】
以上の通信制御方式は、ＩＥＥＥ１３９４セキュアバスと呼ばれており、デジタルインターフェースは、これにより複製の有効な防止を図ることができるようにされている。
【０１７１】
そこで、このセキュアバスの機能を利用し、この図８の信号記録装置の場合には、例えば、入力映像信号の供給元の装置からこの図８に示す信号変換装置に暗号化を解くためのキーが送信されてこなかった場合、あるいは、この図８に示す信号変換装置から映像信号を供給する相手先の装置がノンコンプライアントの装置である場合には、これをコントロール部８３から付加情報検出／判定部７５の出力条件判定部に通知するようにする。
【０１７２】
そして、暗号化を解くためのキーが送信されてこなかった場合、あるいは、相手先の装置がノンコンプライアントの装置である場合には、付加情報検出／判定部７５の出力状態判定部は、スイッチ回路７７をオフにする切り換え制御信号を形成し、これをスイッチ回路７７に供給する。
【０１７３】
これにより、供給された信号変換前のデジタル映像信号に重畳あるいは付加されている付加情報にかかわらず、暗号化を解くためのキーが送信されてこなかった場合、あるいは、相手先の装置がノンコンプライアントの装置である場合には、この図８に示した信号変換装置からデジタル情報信号を出力しないようにすることもできる。
【０１７４】
このように、この例の信号変換装置は、信号変換前の映像信号に重畳、付加されている付加情報に基づいて、信号変換後の映像信号の出力を制御することができるので、この例の信号変換装置に供給された映像信号の著作権を確実に保護することができるようにされる。
【０１７５】
また、暗号化を解くためのキーが送信されてこなかった場合、あるいは、相手先の装置がノンコンプライアントの装置である場合など、セキュアバスの機能により取得され付加情報検出／判別部に供給される情報を、入力されたデジタル映像信号に付加されている付加情報と同等の情報と見做して、このセキュアバスの機能により取得された情報をも考慮して、スイッチ回路７７を制御するようにすることができる。
【０１７６】
なお、この例においても、付加情報検出／判定部７５は、変換後の映像信号の出力制御の状態を、表示情報発生部８０、ＬＣＤドライバ８１、ＬＣＤ８２を使用者に通知することができるようにされている。
【０１７７】
次に、図９のフローチャートを参照しながら、図７、図８を用いて前述した信号変換装置の付加情報検出／判定部５４、７５の動作を説明する。信号変換装置に電源が投入され、入力端子１１、７１を通じてデジタル映像信号が入力されると、付加情報検出／判定部５４、７５にもデジタル映像信号が供給されるので、このデジタル映像信号に重畳、付加されている付加情報の検出処理を実行する（ステップＳ２０１）。
【０１７８】
そして、付加情報検出／判定部５４、７５は、供給されたデジタル映像信号から、付加情報が検出されたか否かを判断する（ステップＳ２０２）。ステップＳ２０２の判断処理において、付加情報が検出されたと判断したときには、その検出された付加情報は、複製禁止を示すものか否かを判断する（ステップＳ２０３）。
【０１７９】
ステップＳ２０３の判断処理において、検出された付加情報が、複製禁止を示すものであると判断したときには、付加情報検出／判定部５４、７５は、出力制御用スイッチ回路１４、７７をオフにするように制御し、変換後の映像信号が出力不能な信号であることをＬＣＤ１８、８２を通じて使用者に通知する（ステップＳ２０４）。
【０１８０】
また、ステップＳ２０２の判断処理において、付加情報が検出されなかったと判断された場合、または、ステップＳ２０３の判断処理において、検出された付加情報が、複製禁止を示すものでないと判断したときには、付加情報検出／判定部５４、７５は、出力制御用スイッチ回路１４、７７をオンにするように制御し、変換後の映像信号が出力可能な信号であることをＬＣＤ１８、８２を通じて使用者に通知する（ステップＳ２０５）。
【０１８１】
このように、信号変換装置に供給されたデジタル信号を信号変換して出力する場合に、供給された信号、すなわち、信号変換前の信号に付加されている付加情報に基づいて、信号変換後の信号の出力を制御することができる。これにより、信号変換装置により信号変換されて出力するようにされるデジタル信号の著作権を確実かつ適切に保護することができる。
【０１８２】
［第３の実施の形態］
図１０は、音声信号を信号変換して出力するこの第３の実施の形態の音声信号の信号変換装置を説明するためのブロック図である。この第３の実施の形態の信号変換装置は、入力される音声信号のサンプリング周波数を変換することができるものである。
【０１８３】
また、この第３の実施の形態の信号変換装置に入力される音声信号には、付加情報として電子透かし情報が重畳されているとともに、ＳＣＭＳ方式の付加情報（以下、ＳＣＭＳ情報という。）が付加されているものとして説明する。
【０１８４】
図１０に示すように、この第３の実施の形態の信号変換装置は、入力端子９１、信号変換部としてのサンプリング周波数変換部９２、付加情報検出／判定部９３、スイッチ回路９４、表示情報発生部９５、ＬＣＤドライバ９７、ＬＣＤ９８、コントロール部９９を備えている。
【０１８５】
コントロール部９９は、ＣＰＵ、ＲＯＭ、ＲＡＭなどを備えたマイクロコンピュータであり、この第３の実施の形態の信号変換装置の各部を制御するものである。また、コントロール９９は、図示しないキー操作部を通じて使用者からのサンプリング周波数の選択入力に応じて、音声信号のサンプリング周波数をサンプリング周波数変換部９２に指示するとともに、付加情報検出／判定部９３にも通知する。
【０１８６】
そして、入力端子９１を通じて入力された音声信号は、サンプリング周波数変換部９２と、付加情報検出／判定部９３とに供給される。この第３の実施の形態において、サンプリング周波数変換部９２は、コントロール部９９からのサンプリング周波数の指示情報に基づいて、供給された音声信号のサンプリング周波数を変換する信号変換を行って、信号変換後の音声信号をスイッチ回路９４に供給する。
【０１８７】
この第３の実施の形態のサンプリング周波数変換部９２は、使用者からの指示入力に基づいて、入力音声信号のサンプリング周波数を、８ｋＨｚ、１１ｋＨｚ、２２ｋＨｚ、３２ｋＨｚ、４４．１ｋＨｚ、４８ｋＨｚ、９６ｋＨｚ、１２８ｋＨｚ等の各種のサンプリング周波数に変換することができるものである。
【０１８８】
付加情報検出／判定部９３は、図１０に示すように、電子透かし情報検出部９３１、ＳＣＭＳ検出部９３２、出力条件判定部９３３を備えたものである。電子透かし情報検出部９３１においては、サンプリング周波数が変換される前の音声信号から、これに重畳されている電子透かし情報を検出して、検出結果を出力条件判定部９３３に供給する。また、ＳＣＭＳ検出部は、サンプルリング周波数が変換される前の音声信号から、ＳＣＭＳ情報を検出して、検出結果を出力条件判定部９３３に供給する。
【０１８９】
出力条件判定部９３３は、電子透かし情報検出部９３１、ＳＣＭＳ検出部９３２からの検出結果と、コントロール部９９からの信号変換後の音声信号のサンプリング周波数とに基づいて、信号変換後の音声信号の出力制御用のスイッチ回路９４を切り換え制御する切り換え制御信号を形成し、これをスイッチ回路９４に供給する。
【０１９０】
この第３の実施の形態において、出力条件判定部９３３は、電子透かし情報またはＳＣＭＳ情報のいずれかが、音声信号の複製を禁止することを示すものであり、かつ、信号変換後の音声信号のサンプリング周波数が、４４．１ｋＨｚである場合には、スイッチ回路９４をオフにする切り換え制御信号を形成する。
【０１９１】
また、出力条件判定部９３３は、信号変換後の音声信号のサンプリング周波数が、４４．１ｋＨｚでない場合、または、電子透かし情報が複製禁止を示すものでない場合、または、電子透かし情報がなく、かつ、ＳＣＭＳ情報が複製禁止を示すものでない場合には、スイッチ回路９４をオンにする切り換え制御信号を形成する。
【０１９２】
このよう、信号変換後の音声信号のサンプリング周波数までをも、信号変換後の信号の出力制御の条件とするのは、ＭＤ（ミニディスク）と呼ばれる小型の光磁気ディスクを記録媒体として用いる記録再生装置（以下、ＭＤ装置という）により、高品位の音声信号が違法に複製されることを確実に防止するためのである。
【０１９３】
すなわち、ＭＤ装置の音声信号のサンプリング周波数は、４４．１ｋＨｚであり、これ以外のサンプリング周波数の場合には、この図１０に示す信号処理装置からの信号変換後の音声信号の出力を可能にする。
【０１９４】
これにより、信号変換前の音声信号に複製禁止を示す付加情報が重畳、付加されている場合や、４４．１ｋＨｚのデジタル音声信号を出力しないようにすることで、この第３の実施の形態の信号変換装置は、この信号変換装置に供給され、信号変換される音声信号の著作権を確実かつ適正に保護することができる。
【０１９５】
次に、図１１のフローチャートを参照しながら、この第３の実施の形態の信号変換回路において行なわれる信号変換されて形成された音声信号の出力制御について、付加情報検出／判定部９３を中心に説明する。
【０１９６】
この第３の実施の形態の信号変換装置の電源が投入され、使用者によりサンプリング周波数の選択入力が行なわれ、入力端子９１を通じて音声信号が供給されると、付加情報検出／判定部９３において、図１１のフローチャートに示す処理が行なわれる。
【０１９７】
まず、付加情報検出／判定部９３の電子透かし情報検出部９３１、ＳＣＭＳ検出部９３２により、電子透かし情報、ＳＣＭＳ情報の検出が行われ（ステップＳ３０１）、検出結果が出力条件判定部９３３に供給される。
【０１９８】
出力条件判定部９３３は、電子透かし情報検出部９３１からの検出結果に基づいて、電子透かし情報が検出されたか否かを判断する（ステップＳ３０２）。ステップＳ３０２の判断処理において、電子透かし情報が検出されていないと判断したときには、音声信号に付加されているＳＣＭＳ情報は、複製禁止を示すものか否かを判断する（ステップＳ３０３）。
【０１９９】
ステップＳ３０３の判断処理において、ＳＣＭＳ情報が、複製禁止を示すものでないと判断したときには、出力条件判定部９４４は、スイッチ回路９４をオンにするように制御して、信号変換後の音声信号を出力端子９５を通じて出力するようにすし、信号変換後の音声信号が出力可能なものであることＬＣＤ９８を通じて通知するようにする（ステップＳ３０４）。
【０２００】
ステップＳ３０２の判断処理において、電子透かし情報が検出されたと判断したときには、検出された電子透かし情報は、複製禁止を示すものか否かを判断する（ステップＳ３０５）。ステップＳ３０５の判断処理において、電子透かし情報が複製禁止を示すものであると判断した場合、また、前述したステップＳ３０３の判断処理において、音声信号に付加されているＳＣＭＳ情報が複製を禁止することを示すものであると判断した場合には、出力条件判定部９３３は、コントロール部９９からのサンプリング周波数を示す情報に基づいて、信号変換後の音声信号のサンプリング周波数が、４４．１ｋＨｚか否かを判断する（ステップＳ３０６）。
【０２０１】
ステップＳ３０６の判断処理において、信号変換後の音声信号のサンプリング周波数が、４４．１ｋＨｚであると判断したときには、スイッチ９４をオフにして、信号変換後の音声信号を出力しないようにするとともに、信号変換後の音声信号が出力することができないものであることをＬＣＤ９８を通じて通知する（ステップＳ３０７）。
【０２０２】
また、ステップＳ３０５の判断処理において、検出された電子透かし情報が複製禁止を示すものでないと判断した場合、および、ステップＳ３０６の判断処理において、コントロール部９９からのサンプリング周波数の情報が、４４．１ｋＨｚでない場合には、サンプリング周波数が変換された信号変換後の音声信号は、出力可能なものであると判断し、ステップＳ３０４の処理を行う。すなわち、スイッチ回路９４をオンにして、信号変換後の音声信号を出力端子９５を通じて出力するようにするとともに、信号変換後の音声信号が出力可能なものであることをＬＣＤ９８を通じて使用者に通知する。
【０２０３】
このように、この第３の実施の形態の信号変換装置は、サンプリング周波数を変える信号変換を行うものであるが、信号変換前の音声信号に重畳、付加されている付加情報が複製を禁止することを示すものであり、かつ、信号変換後の音声信号のサンプリング周波数が、４４．１ｋＨｚのときには、この信号変換装置からは出力されないようにされる。これにより、複製が禁止された音声信号が、ＭＤ（ミニディスク）にデジタル録音されることがないようにすることができる。
【０２０４】
また、この第３の実施の形態においては、音声信号のサンプリング周波数の変換を行う場合を例にして説明したが、信号変換は、これに限るものではない。例えば、アナログ音声信号をデジタル音声信号に変換したり、デジタル音声信号の圧縮方式を変換したり、デジタル音声信号のビット数を変換するなどの各種の信号変換を行う場合に、この発明による信号変換装置、信号変換方法を適用することができる。
【０２０５】
なお、この発明による信号変換装置、信号変換方法は、単に信号変換装置に適用されるものではなく、前述した第１の実施の形態に場合のように、モニタ受像機や、ＳＴＢ（セットトップボックス）と呼ばれるデジタル放送用の受信機、再生装置、記録装置、通信装置などの各種の装置に適用することができる。
【０２０６】
すなわち、情報信号の供給を受けて、これを信号変換して出力するようにする種々の装置や、記録媒体に記録されている情報信号を読み出して、これを信号変換して出力するようにする種々の再生装置や、情報信号の供給を受けて、これを信号変換して記録媒体に記録するようにする種々の記録装置になどに、この発明による信号変換装置、信号変換方法を適用することができる。
【０２０７】
また、入力信号に付加されている付加情報としては、前述した、電子透かし情報、ＣＧＭＳ情報、複製防止用の擬似同期信号、ＳＣＭＳ情報に限るものではなく、例えば、垂直帰線消去期間の２１ライン目の水平区間に付加されるＸＤＳ方式の付加情報など、複製を禁止したり制限したりするための用いられる各種の付加情報を用いることができる。この場合には、付加情報検出／判定部には、目的とする付加情報の検出部を設けるようにすればよい。もちろん、前述した付加情報のすべての検出部を設ける必要はなく、必要な付加情報の検出部だけを設けるようにしてももちろんよい。
【０２０８】
また、前述の実施の形態においては、入力信号が、複製が禁止されていたり、制限されているものである場合には、信号変換後の信号の出力をしないようにしたが、これに限るものではない。例えば、入力信号が映像信号の場合には、スパーインポーズで、「複製は禁止されています。」などの表示メッセージを表示画像の全面に表示するようにするなどして、正常な使用ができないようにして出力するようにしてもよい。
【０２０９】
また、入力信号が音声信号の場合にも、ノイズを混入するなどして、正常な使用ができないようにして、出力するようにしてもよい。つまり、入力信号が、複製が禁止されていたり、制限されているものである場合には、信号変換後の信号が、正常に使用できないようにすればよい。
【０２１０】
また、前述の実施の形態においては、信号変換後の信号の出力制御状態をＬＣＤにメッセージを表示することにより使用者に通知するようにしたが、これに限るものではない。
【０２１１】
例えば、入力信号が複製禁止の付加情報が付加されたものであり、信号変換後の信号が出力できないものであるときには、赤色のＬＥＤ（発光ダイオード）を点灯、あるいは、点滅させ、逆に信号変換後の信号が出力可能なものであるときには、緑色にＬＥＤを点灯、あるいは、点滅させるなどして、信号変換後の信号の出力制御状態を使用者に通知するようにしてもよい。
【０２１２】
また、前述の実施の形態においては、映像信号、音声信号が入力信号である場合を例にして説明したが、入力信号は、これに限るものではない。例えば、テキストデータや、プログラムなどの種々のデータであってももちろんよい。
【０２１３】
また、信号変換は、前述の実施の形態において説明したものに限るものではない。例えば、映像信号に場合には、３原色信号（ＲＧＢ信号）からＮＴＳＣ方式の映像信号や、輝度信号と色差信号とに変換する場合や、デジタル映像信号のビット数変換や、伝送データの通信プロトコルの変換など、種々の信号変換を行う場合に、この発明による信号変換装置、信号変換方法を適用することができる。
【図面の簡単な説明】
【０２１４】
【図１】信号変換装置の一実施の形態が適用されたモニタ受像機を説明するためのブロック図である。
【図２】図１に示したモニタ受像機の付加情報検出／判定部により行なわれる信号変換後の信号の出力制御処理を説明するためのフローチャートである。
【図３】信号変換装置の他の例を説明するためのブロック図である。
【図４】信号変換装置の他の例を説明するためのブロック図である。
【図５】信号変換装置の他の例を説明するためのブロック図である。
【図６】信号変換装置の他の例を説明するためのブロック図である。
【図７】信号変換装置の他の例を説明するためのブロック図である。
【図８】この発明による装置、方法の一実施の形態が適用された信号変換装置について説明するためのブロック図である。
【図９】図７、図８に示した信号変換装置の付加情報検出／判定部により行なわれる信号変換後の信号の出力制御処理を説明するためのフローチャートである。
【図１０】信号変換装置の他の例を説明するためのブロック図である。
【図１１】図１０に示した信号変換装置の付加情報検出／判定部により行なわれる信号変換後の信号の出力制御処理を説明するためのフローチャートである。
【符号の説明】
【０２１５】
１ａ、１ｂ、１ｃ…入力端子、２…ＣＲＴ表示部、３…信号変換部、４…付加情報検出／判定部、５…出力制御用スイッチ回路、６…出力端子、７、１６…表示情報発生部、８、１７…ＬＣＤドライバ、９、１８…ＬＣＤ、１２、２２…信号変換部、３２、４２…信号変換部、５１…Ｄ／Ａ変換回路、５２…信号変換回路、５３…Ａ／Ｄ変換回路、５４…付加情報検出／判定部、７１…入力端子、７２、７８…ＩＥＥＥ１３９４インターフェース、７３…デ・スクランブル部、７４…圧縮方式変換部、７５…付加情報検出／判定部、７６…暗号化部、７７…出力制御用スイッチ回路、７９…出力端子、１９、８３…コントロール部、９１…入力端子、９２…サンプリング周波数変換部、９３…付加情報検出／判定部、９４…出力制御用スイッチ回路、９５…出力端子、８０、９３…表示情報発生部、８１、９４…ＬＣＤドライバ、８２、９５…ＬＣＤ、９３１…電子透かし情報検出部、９３２…ＳＣＭＳ検出部、９３３…出力条件判定部、９９…コントロール部
【図１】
2008034096.tif 000003
【図２】
2008034096.tif 000004
【図３】
2008034096.tif 000005
【図４】
2008034096.tif 000006
【図５】
2008034096.tif 000007
【図６】
2008034096.tif 000008
【図７】
2008034096.tif 000009
【図８】
2008034096.tif 000010
【図９】
2008034096.tif 000011
【図１０】
2008034096.tif 000012
【図１１】
2008034096.tif 000013